(57)【要約】  本発明は、コンテナを締め付け、取り扱い、留め付けるための取付具を備えるコンテナに関し、前記取付具のそれぞれが、コンテナの非展開位置においてコンテナの１つのコーナーに配置される。本発明によれば、非展開位置において、コンテナが、長手方向寸法および横方向寸法を有する中央ケースと、中央ケースに接続された２つの延長ブロックとにより形成され、中央ケースおよび延長ブロックの構造の少なくとも一部が密封される。非展開位置において、延長ブロックのそれぞれの長さまたは幅が、中央ケースの長手方向寸法または横方向寸法の半分よりも大きい。延長ブロックが、ブロックおよび中央ケースが少なくとも部分的に上下に配置される非展開位置と、各ブロックが中央ケースの長手方向または横方向延長部を形成する展開位置との間で移動可能であり、このように展開されたアセンブリが、増加した載荷面を有する浮体構造物を形成する。【選択図】図１
2014509979.tif 000002
【特許請求の範囲】
【請求項１】
コンテナを保持し、取り扱い、固定するための取付具を含むコンテナであって、前記取付具（８）のそれぞれが、前記コンテナの非展開構成において前記コンテナの１つのコーナーに配置された、コンテナにおいて、
−  前記コンテナの前記非展開構成において、前記コンテナが、長手方向寸法および横方向寸法を有する中央箱（１）と、前記中央箱（１）に接続された２つの延長ユニット（２、３）から構成され、前記中央箱（１）と前記延長ユニット（２、３）からなる構造体の少なくとも一部が水密であり、
−  前記延長ユニット（２、３）のそれぞれが、前記非展開構成において、前記中央箱（１）の長手方向寸法または横方向寸法の半分よりも大きい長さまたは幅を有し、
−  前記延長ユニット（２、３）が、前記延長ユニット（２、３）および前記中央箱（１）が少なくとも部分的に上下に配置される前記非展開構成と、各延長ユニット（２、３）が前記中央箱（１）の長手方向または横方向延長部を形成する展開構成との間で移動可能であり、このように全体が展開されることにより、増加した載荷面積を有する浮体構造物を形成する
ことを特徴とするコンテナ。
【請求項２】
前記延長ユニット（２、３）が、単一の箱、または好ましくは前記非展開構成において一方が他方に接して配置される２つの箱を備えることを特徴とする、請求項１に記載のコンテナ。
【請求項３】
前記展開構成において、前記浮体構造物の船体が、前記中央箱（１）の長手方向寸法または横方向寸法の２倍よりも大きい長手方向寸法または横方向寸法を有することを特徴とする、請求項１または２に記載のコンテナ。
【請求項４】
前記延長ユニット（２、３）が前記中央箱（１）に関節式に接続されることを特徴とする、請求項１から３のいずれか一項に記載のコンテナ。
【請求項５】
前記コンテナの前記非展開構成から前記展開構成へ、また前記展開構成から前記非展開構成へ前記延長ユニット（２、３）を移動させるためのアクチュエータを備えることを特徴とする、請求項４に記載のコンテナ。
【請求項６】
前記延長ユニット（２、３）が、ヒンジ（４〜７）、より良好には２つの軸を有するヒンジにより前記中央箱（１）に接続されることを特徴とする、請求項４または５に記載のコンテナ。
【請求項７】
前記延長ユニット（２、３）が相補的な外形を有し、前記非展開構成において協働して、前記中央箱（１）とともに全体を形成するようになっており、自由壁が、平行六面体もしくはほぼ平行六面体を画定することを特徴とする、請求項１から６のいずれか一項に記載のコンテナ。
【請求項８】
前記延長ユニット（２、３）のそれぞれが、三角形または切頭三角形の外形を有することを特徴とする、請求項７に記載のコンテナ。
【請求項９】
前記浮体構造物のデッキが平面または実質上平面であることを特徴とする、請求項１から８のいずれか一項に記載のコンテナ。
【請求項１０】
前記延長ユニット（２、３）のそれぞれが単一の箱からなり、第１の前記箱が前記コンテナの非展開構成と展開構成との間で１８０°の回転を生じさせ、他方の箱が１８０°未満の回転を生じさせることを特徴とする、請求項９に記載のコンテナ。
【請求項１１】
各延長ユニット（２、３）が、前記中央箱（１）の長手方向寸法と等しい長手方向寸法を有する単一の延長箱から構成され、前記箱（１〜３）が、前記コンテナの前記非展開構成において互いに重ねられて、箱の積層体を形成することを特徴とする、請求項１から５のいずれか一項に記載のコンテナ。
【請求項１２】
前記箱（１〜３）が互いに関節式に結合されて、２つの連続した箱が前記箱の同一の側縁部に取り付けられた少なくとも２つの接続アームにより互いに接続され、前記接続アームの１つが３つの箱に共通であり、
−  ２つの連続した接続アームが２つの連続した箱とともに形成され、変形可能な平行四辺形を接続し、前記箱の１つが、前記コンテナの前記非展開構成から前記積層体中のすぐ下の箱に対して移動すると、前記箱が前記積層体中のすぐ下の箱に対して円形並進運動することを特徴とする、請求項１１に記載のコンテナ。
【請求項１３】
前記延長ユニットの少なくとも１つが、前記浮体構造物のデッキの長手方向寸法および／または横方向寸法を長くするための１つまたは複数の延長斜面（２５、２６）を備えることを特徴とする、請求項１から１２のいずれか一項に記載のコンテナ。
【請求項１４】
前記浮体構造物が自走式になるように、推進システムを備えることを特徴とする、請求項１から１３のいずれか一項に記載のコンテナ。
【請求項１５】
前記延長ユニット（２、３）および／または前記中央箱（１）が、積荷を受けるように中空であることを特徴とする、請求項１から１４のいずれか一項に記載のコンテナ。
【請求項１６】
前記コンテナを保持し、取り扱い、固定するための前記取付具（８）が、少なくとも８個あり、前記取付具（８）が、非展開構成において前記コンテナの最端コーナーに配置され、前記取付具（８）が、前記コンテナを保持し、取り扱い、固定するために標準ＩＳＯ設備と協働するように意図されていることを特徴とする、請求項１から１５のいずれか一項に記載のコンテナ。
【請求項１７】
前記コンテナが、２つ以上のコンテナを縁部同士または端部同士で接続可能にする相互接続手段に接続されて、一体型積込みアセンブリを形成し、前記コンテナの最端コーナーに、前記一体型アセンブリを保持し、取り扱い、固定するための取付具が配置されることを特徴とする、請求項１から１６のいずれか一項に記載のコンテナ。
【請求項１８】
前記浮体構造物の浮力を上昇させるための、独立して、または別の方法で膨張可能な要素を（１９）備えることを特徴とする、請求項１から１７のいずれか一項に記載のコンテナ。
【請求項１９】
前記コンテナが、格納式または非格納式の車輪（２０、２１）を備えることを特徴とする、請求項１から１８のいずれか一項に記載のコンテナ。
【請求項２０】
展開構成にある、請求項１から１９のいずれか一項に記載の少なくとも２つのコンテナを備える船舶であって、前記コンテナが互いに接続されて一体型浮体構造物を形成する、船舶。
【発明の詳細な説明】
【技術分野】
【０００１】
本発明は、転換式コンテナに関し、この転換式コンテナは、非展開構成においては、あらゆる輸送コンテナと同様に、持ち上げる、操作する、または留め付けることが可能であり、展開構成においては、自律型浮体構造物を形成する。
【背景技術】
【０００２】
互いに固定されると、海、川、または湖への石油流出事故に対処するためのボートを形成することができる浮遊コンテナ（「ｃｏｎｔｅｎｅｕｒ」）が知られている。このようなコンテナは、有利には、航空機または船による油膜に対処するための手段を非常に迅速にルーティングすることを可能にする。船の場合には、石油流出事故が発生した船がコンテナ船であるときには、このような浮遊海洋コンテナがすでに搭載されていることがある。
【０００３】
しかし、このタイプのボートは、それぞれ特定の機能を有する複数の異なるコンテナを必要とし、これらのコンテナはすべてボートの形成および正確な操作に欠かせないものである。
【０００４】
さらに、ボートを構成する種々のコンテナを組み立てるのに必要な時間が、特に長く、困難であり、海が荒れているときには不可能にもなる。これに対して、石油により汚染された領域をできるだけ早く制限するためには、対処手段の介入をできるだけ迅速に行わなければならない。
【０００５】
さらに、海路または空路により、操作領域まで容易に搬送可能な水陸両用車両が必要である。
【０００６】
このような水陸両用車両を海路で輸送する場合、船に搭載された機器および／または貨物を降ろすために水陸両用車両を使用することができる。逆に、船への積荷のために水陸両用車両をさらに使用することができる。
【０００７】
このような操作を行うために、これらの水陸両用車両は、陸と船とを往復することができる。
【０００８】
水陸両用車両は、従来の港湾施設を使用して、結果として専用の設備に頼る必要なく、このような船に最終的に搭載可能とすべきである。
【先行技術文献】
【特許文献】
【０００９】
【特許文献１】国際特許出願第ＷＯ２００９／０９５４０４号
【特許文献２】国際特許出願第ＷＯ２００９／０９５４１５号
【発明の概要】
【発明が解決しようとする課題】
【００１０】
したがって、本発明の目的は、簡単な設計および使用様式の浮遊輸送装置を提案することであり、この浮遊輸送装置は、非展開構成において貨物を輸送するためのコンテナの寸法を有し、例えば標準的な港湾設備でこの装置を保持し、取り扱い、固定するための取付具を含み、展開構成においてボートを形成する。
【００１１】
本発明の別の目的は、非展開構成における所与の長手方向寸法および所与の横方向寸法、すなわちコンテナの長手方向寸法および横方向寸法から、ボートの積載能力を大幅に高めるためにデッキ面積を増加させ、かつ展開構成において可能な最良の浮力をもつために船体容積を最大化したこの種の浮遊輸送装置を提供することである。
【００１２】
しかし、簡単かつ迅速に展開可能な浮遊輸送装置を保持するために、可能な最小の運動学的接続によりボートの船体容積およびデッキ面積の最大化を求めなければならない。
【００１３】
実際に、輸送装置が備える可動部分が多いほど、輸送装置の重量および複雑度が大きくなる。
【００１４】
したがって、非展開構成、すなわちコンテナ構成におけるこの輸送装置の寸法は、小さいことが有利であり、それにより、トラック、船または貨物航空機により輸送可能になる。
【００１５】
貨物を輸送するためのあらゆるコンテナの場合における、この種のコンテナの別の課題は、構造部品のすべてが内部に含まれることであり、結果として、このコンテナの自由壁により画定される平行六面体から突出することがないため、複数のこのようなコンテナを積み重ね、かつ／または並置することができるようになる。
【００１６】
より概括的には、本発明は、ボートの十分な浮力を確保しながら、ＩＳＯ標準寸法を有する輸送コンテナの拡張によって得られるボートの長手方向寸法および／または横方向寸法を最大化することを目的とする。
【００１７】
本発明のさらなる目的は、海路または空路により輸送可能であり、非常に容易に積荷および荷降ろし可能な、自走式水陸両用車両である。
【課題を解決するための手段】
【００１８】
このために、本発明は、コンテナを保持し、取り扱い、固定するための取付具を含むコンテナに関し、これらの取付具のそれぞれが、コンテナの非展開構成においてこのコンテナの１つのコーナーに配置される。
【００１９】
本発明によれば、
−  前記コンテナの前記非展開構成において、前記コンテナが、長手方向寸法および横方向寸法を有する中央箱と、前記中央箱に接続された２つの延長ユニットとから構成され、中央箱と延長ユニットの構造体の少なくとも一部が水密であり、
−  前記延長ユニットのそれぞれが、前記非展開構成において、前記中央箱の長手方向寸法または横方向寸法の半分よりも大きい長さまたは幅を有し、
−  前記延長ユニットが、前記延長ユニットおよび前記中央箱が少なくとも部分的に上下に配置される前記非展開構成と、各延長ユニットが前記中央箱の長手方向または横方向延長部を形成する展開構成との間で移動可能であり、次いで、このように全体が展開されることにより、増加した載荷面積を有する浮体構造物を形成する。
【００２０】
有利には、浮体構造物の長さまたは幅を最大化することの結果により、船体の速度が上昇し、または長さの２乗（フルード数の減少）もしくは幅の３乗（浮力横慣性の増加）に対して効力のあるメタセンタ半径（したがって、初期安定性）が増加する。このような考察は、当然、同等の排水量を伴うほぼ同一の船体の系列についてのみ有効である。
【００２１】
前記コンテナを保持し、取り扱い、固定するための取付具は、コンテナの保持、固定、および積替えを可能にするコーナー取付具としても知られている。
【００２２】
このような取付具は、コンテナのコーナーに配置され、少なくともこれらのコーナーは、加えられる力に耐えるのに十分な剛性を有するために堅固である。
【００２３】
船体の少なくとも一部が水密になるよう、中央箱および延長ユニットの少なくとも一部が水密である。
【００２４】
このコンテナの種々の特定の実施形態において、それぞれが特定の利点を有し、以下の通り、多くの考えられる技術的組合せを受け入れる。
−  前記延長ユニットが、単一の箱、または好ましくは前記非展開構成において一方が他方に接して配置される２つの箱を備える。
【００２５】
したがって、延長ユニットをそれぞれ単一の箱から構成することができる。あるいは、延長ユニットの１つが、中央箱の長手方向軸に沿って移動するように意図された端箱を形成する単一の箱を備えることができ、逆に、他方の延長ユニットが、有利にはコンテナの非展開構成において一方が他方に接して配置される２つの箱から構成され、これらの箱が中央箱の長手方向軸に対して横方向に移動することが意図されている。
−  コンテナの展開構成において、前記浮体構造物の船体が、前記中央コンテナの長手方向寸法または横方向寸法の２倍よりも大きい長手方向寸法または横方向寸法を有する。
【００２６】
したがって、例として、前記コンテナの展開構成において、前記浮体構造物の船体が、中央箱の長手方向寸法の２倍よりも大きい、船首から船尾までの長手方向寸法を有する。
−  延長ユニットが中央箱に関節式に接続される。
【００２７】
有利には、延長ユニットが、ヒンジにより中央箱に関節式に接続される。このヒンジは、好ましくは２つの軸を有するヒンジである。
【００２８】
この２つの軸を有するヒンジは、２軸ヒンジとしても知られており、２つの偏心ヒンジ・ピンを担持する中間部分に接続された２つの関節部分を備える。
−  このコンテナは、このコンテナの非展開構成から展開構成へ、かつその逆へ延長ユニットを移動させるためのアクチュエータを備える。
【００２９】
延長ユニットがヒンジにより中央箱に関節式に接続され、これらのアクチュエータが、好ましくは、電動ヒンジ、または前記ヒンジを開閉するための手段を備えたヒンジである。
【００３０】
例示の目的のみで、前記ヒンジを開閉するためのこのような手段は、例えば、電力源、油圧源または空気圧源により動力供給される回転アクチュエータを含む。この動力源およびその分配回路は、好ましくは、コンテナの中央箱または延長ユニットの１つに配置される。
【００３１】
あるいは、ヒンジを開閉するための手段が遠隔で設置されるため、ヒンジ自体に組み入れられなくてもよい。例示の目的のみで、このような手段は、線形アクチュエータまたはケーブル・システムまたは外部クレーンとすることができる。
−  延長ユニットが相補的な外形を有し、コンテナの非展開構成において協働して、中央箱とともにアセンブリを形成するようになっており、アセンブリの自由壁が、平行六面体もしくはほぼ平行六面体、またはより最適には直方体もしくは立方体を画定する。
【００３２】
例示の目的のみで、したがって延長ユニットは、三角形または切頭三角形の外形を有することができる。
【００３３】
当然、この平行六面体は、延長ユニットが例えば切頭三角形の外形を有するときに堅固でなくてもよい。この意味で、自由壁がほぼ平行六面体を画定する。
【００３４】
可動箱の三角形状により、浮体構造物の移動の優先方向がないことが確実になるため、有利には浮体構造物が両頭である。
−  展開構成における前記コンテナの外面は、平面またはほぼ平面であるため、浮体構造物のデッキが平面またはほぼ平面である。
−  前記延長ユニットが単一の延長箱を備えるため、第１の前記延長箱が前記コンテナの非展開構成と展開構成との間で１８０°の回転を生じさせ、他方の延長箱が１８０°未満の回転を生じさせる。
【００３５】
この第１の延長箱は、直角切頭三角形であるか、またはそうではなく、他方の延長箱は、非展開構成でコンテナの一端部を形成する、コンテナの内側に傾斜した側を有する。
−  コンテナは、前記浮体構造物が自走式になるよう、少なくとも１つの推進システムを備える。
【００３６】
この推進システムは、好ましくは、少なくとも浮体構造物の長手方向軸に対して横方向、または長手方向軸に平行な方向へ浮体構造物を移動させることができる。
−  前記延長ユニットおよび／または前記中央箱の少なくとも１つが、積荷を受けるように中空である。
−  前記コンテナを保持し、取り扱い、固定するための前記取付具が、少なくとも８個あり、前記取付具が、非展開構成において前記コンテナの最端コーナーに配置され、前記取付具が、前記コンテナを保持し、取り扱い、固定するために標準ＩＳＯ設備と協働することが意図されている。
−  コンテナが、２つ以上のコンテナを縁部同士または端部同士で接続可能にする相互接続手段に接続されて、一体型積込みアセンブリを形成し、コンテナの最端コーナーに、前記一体型アセンブリを保持し、取り扱い、固定するための取付具が配置される。
−  コンテナが、前記浮体構造物の浮力を上昇させることのできる、独立して、または別の方法で膨張可能な要素を備える。
【００３７】
このような膨張式要素は、有利には、この目的で、このコンテナの側縁部に設けられたハウジングに受けられる。したがって、緊急時には、コンテナは、このような膨張式要素を収縮させる必要なく、展開構成から非展開構成に移ることができる。
【００３８】
あるいは、または加えて、このような膨張式要素を、中央箱および／または延長ユニットの底部に配置されたハウジングから展開させることができ、膨張式要素は、展開時にこのような要素の下に配置される。
【００３９】
このような膨張式要素は、好ましくは、浮体構造物の安定性および浮力を確保するように寸法付けされる。
【００４０】
コンテナは、好ましくは、このような膨張式要素を動力源、例えば空気圧動力源から、独立して、または別の方法で膨張させるためのフィーダ回路を備える。例示の目的のみで、このような膨張式要素は、膨張式プディング・フェンダである。この動力源は、例えば箱の１つに配置され得る。
【００４１】
漏れまたは温度変動から生じ得る圧力損失を補償するために、各膨張式要素が膨張する圧力を検証する圧力センサ等のプローブを使用する動力源のサーボ制御によって、膨張式要素の膨張圧力が制御され調節される。
−  このような延長ユニットの少なくとも１つが、前記浮体構造物のデッキの長手方向寸法および／または横方向寸法を長くするための１つまたは複数の延長斜面を備える。
【００４２】
あるいは、このような斜面を延長ユニットの容積に組み入れるのではなく、延長ユニットおよび／または中央箱の内側に収納されるように取外し可能としてもよい。
−  コンテナが、格納式または非格納式の車輪を備える。
【００４３】
このコンテナは、好ましくは、延長ユニットごとに、格納式または非格納式の少なくとも２つの車輪を備える。当然、中央箱は、非展開構成においてコンテナを陸路で移動させるための、格納式または非格納式の少なくとも一対の車輪を備えることができる。
【００４４】
有利には、コンテナの車輪の少なくとも２つが操舵可能である。さらに、前記車輪の少なくとも２つが、好ましくは駆動車輪である。
【００４５】
このコンテナは、展開構成において水陸両用車両を形成する。
−  前記コンテナが、ロック手段を備える。
【００４６】
このようなロック手段は、向かい合わせに配置された、前記コンテナを保持し、取り扱い、固定するための２つ以上の取付具と協働するように設計されたロックを備えることができる。したがって、ロック手段は、コンテナの展開構成において、延長ユニットおよび中央箱を締結することができる。例示の目的で、このようなロックは、回転二重ロック（「ねじれロック」としても知られる）とすることができ、取り付けられた先端が対向し、向かい合わせに配置された２つの保持取付具の間に配置され、コンテナが完全に拡張する前に設置される。
【００４７】
別の実施形態によれば、または加えて、ロック手段は、ピンまたはボルト固定ラグ等の留め具を備えることができる。
【００４８】
あるいは、コンテナが展開構成において自己ロック可能であり、自己ロックは、拡張アクチュエータにより生じる力によって確保される。
【００４９】
例示の目的のみで、自己ロックを、コンテナを拡張するための油圧アクチュエータ上の積荷保持弁により確保することができる。
−  このコンテナは、ＩＳＯ１０フィート、２０フィート、３０フィート、４０フィートもしくは４５フィート輸送コンテナ、あるいはＩＳＯ標準６６８もしくは１４９６−１、または海路、河川、陸路、鉄道もしくは空路による多モード輸送で使用される任意の他の機関もしくは標準によって定義された任意の他の大きさの標準コンテナの寸法を有する。
−  有利には、非展開構成にあるコンテナが浮遊して、例えば自動または遠隔で海に浮かべられて拡張され、船を形成することができるようにする。
【００５０】
コンテナが自動で拡張される場合、コンテナは、例えば、ヒンジに動力を供給し、開放位置から閉鎖位置への移動を確実にするための油圧動力回路に接続される１つまたは複数のプローブを備える。水中にコンテナがあることを検出するこのようなプローブにより、十分な安定性が確実に得られ、コンテナがある場合には、油圧動力源にメッセージを送り、ヒンジに動力を供給してヒンジを作動させる。ヒンジの作動によって、コンテナが非展開構成から展開構成へ移る。
【００５１】
コンテナが遠隔制御される場合、コンテナは、制御ユニットに接続された少なくとも１つの受信機または送受信機を備え、送受信機は、油圧源の作動を制御し、ヒンジに動力を供給してヒンジを作動させる。
【００５２】
本発明はまた、展開構成にある、前述したような少なくとも２つのコンテナを備える船舶であって、このようなコンテナが互いに接続されて一体型浮体構造物を形成する船舶に関する。
【００５３】
このような展開構成にあるコンテナを、端部同士および／または縁部同士で組み立てることができる。
【００５４】
添付図面を参照しながら、本発明をより詳細に説明する。
【図面の簡単な説明】
【００５５】
【図１】本発明の一実施形態による、非展開構成にあるコンテナの概略斜視図である。
【図２】図１のコンテナの正面図である。
【図３】展開構成にある図１のコンテナの概略図である。
【図４】図１のコンテナの中央箱と端箱の１つとの間の接続部の部分拡大図である。
【図５】当接部が定位置にある、図１のコンテナの中央箱と端箱の１つとの間の接続部の部分拡大図である。
【図６】第２の実施形態による、展開構成にあるコンテナを上から見た斜視図であり、浮体構造物の浮力を上昇させるための膨張式要素が展開された状態を示す図である。
【図７】互いに接続されて一体型浮体構造物を形成する、展開構成にある６個のコンテナを備えた船舶の概略図である。
【図８】格納式車輪が見える、展開構成にある図６の浮体構造物を下から見た斜視図である。
【図９】本発明の第３の実施形態による、非展開構成にあるコンテナの概略斜視図である。
【図１０】展開構成にある図９のコンテナの概略図である。
【図１１】本発明の第４の実施形態による、非展開構成にあるコンテナの概略斜視図である。
【図１２】展開構成にある図１１のコンテナの概略図である。
【図１３】本発明の第５の実施形態による、非展開構成にあるコンテナの概略斜視図である。
【図１４】図１３のコンテナの別の斜視図である。
【図１５】拡張プロセスにおける図１３のコンテナの概略図である。
【図１６】展開構成にある図１３のコンテナの概略図である。
【発明を実施するための形態】
【００５６】
図１および図２は、本発明の好ましい実施形態による、非展開構成にある転換式コンテナの正面図および斜視図である。
【００５７】
このコンテナは、長手方向寸法を有する中央箱１のみから構成され、その端部に、２軸ヒンジ４〜７によって中央箱１に接続された延長ユニット２、３が配置される。
【００５８】
各延長ユニット２、３は、以下で端箱とも呼ばれる単一の箱から構成され、この箱は、一対の２軸ヒンジ４〜７により中央箱１に関節式に接続される。
【００５９】
ここで、このようなヒンジ４〜７は回転油圧アクチュエータを備える。したがって、コンテナは、油圧動力源と、この油圧流体（図示せず）を分配するための回路とを備えて、種々のヒンジ４〜７に動力を供給することにより、これらの開閉を可能にする。結果として、コンテナは完全に自律型となる。
【００６０】
切頭三角形の外形を有する端箱２、３は、一部が互いに重ね合わされ、中央箱１の上に重ねられる。各端箱２、３は、中央箱１の長手方向寸法の半分よりも大きい長さを有する。
【００６１】
有利には、このような箱１〜３の少なくとも１つが中空であり、積荷および／またはコンテナの正確な操作に必要な機器もしくは装置を受ける。
【００６２】
各箱１〜３は水密であり、浮遊箱を形成する。
【００６３】
コンテナの非展開構成では、端箱２、３および中央箱１の自由外壁がほぼ直方体を画定する。この直方体から突出して配置される、コンテナの構造的要素がないため、保管もしくは輸送の観点から、このコンテナを他のコンテナに積み重ねることができ、かつ／または他のコンテナに接して配置することができる。
【００６４】
ここで、この直方体は、ＩＳＯ２０フィート海洋輸送コンテナと等しい寸法を有するため、有利には、いかなる特別な設備または機器も必要とせずに、この直方体を任意のＩＳＯ標準コンテナと同様に、持ち上げる、輸送する、操作する、積替えする、または固定することができる。
【００６５】
このコンテナは、各コーナーに、コンテナを保持し、取り扱い、固定するための取付具８を備える。したがって、コンテナは、非展開構成においてコンテナの最端コーナーに配置される８個の取付具８を備える。
【００６６】
２軸ヒンジ４〜７の作動により、コンテナの非展開構成から展開構成への移行が確実になる。展開構成では、端箱２、３が中央箱１の長手方向延長部を形成し、このように拡張された前記アセンブリが浮体構造物を形成し、その船体が、この中央箱１の長手方向寸法の２倍よりも大きい長手方向寸法を有する。
【００６７】
第１の端箱２がコンテナの非展開構成と展開構成との間で１８０°の回転を生じさせる一方、他方の端箱３はこのような２つの構成の間で１８０°よりも小さい回転、ここでは約１６７°の回転を生じさせる。これら２つの異なる回転により、浮体構造物に平面またはほぼ平面のデッキが確実に作り出される。
【００６８】
回転角度が１８０°よりも小さく、コンテナの展開構成において端箱３に接して配置されることが意図される中央箱１の端壁９が、接触するこの端箱３の傾斜面１０に相補的な傾斜形状を有するため、このような２つの傾斜壁９、１０間に形成される角度は回転角度の値に等しい。
【００６９】
各箱１〜３は、水密な外被を形成するアルミニウム壁を有する。このように形成された各箱１〜３は、展開構成と同様に非展開構成においても、コンテナが受ける局所的な力および全体的な力に耐えるように設計された補強材を長手方向および横方向に網状にすることにより構造化される。
【００７０】
したがって、このような箱１〜３のそれぞれが、小屋、車両（トラック等）、機器および／または人等の重荷重を受けることができる耐荷重構造を形成する。端箱２、３の三角形状はさらに、中央箱１によって荷重に十分に耐えることを確実にし、積荷を運ぶためにこのような箱２、３の端部または先端を使用できるようにする。したがって、耐荷重構造の載荷面積が大きく増加するため、有利である。当然、２軸ヒンジ４〜７は、非展開構成、すなわちコンテナ構成と同様に、展開構成、すなわち浮体構造物構成においても重荷重に耐えるように寸法決めされる。
【００７１】
あるいは、このような箱１〜３を、鋼、ステンレス鋼、銅ニッケル合金、ポリマーまたはより一般的には複合材料から作製することができる。
【００７２】
図４および図５は、コンテナが浮体構造物を形成する展開構成における、コンテナの部分拡大図である。２軸ヒンジ４、７は、この目的で、箱１〜３の構造内に設けられたハウジング１１に受けられて、その上面が、浮体構造物のデッキを画定する箱１〜３の上面と面一になるようにする。したがって、この展開構成において、浮体構造物のデッキは、浮体構造物のデッキに受けられた貨物、機器、および／または車両の安定性を保証する平面である。
【００７３】
２軸ヒンジとも呼ばれる２つの軸を有する各ヒンジ４〜７は、２つの固定部１２、１３を備え、この固定部１２、１３は、それぞれ箱１、３に取り付けられ、または箱１、３の一体部分を形成し、このヒンジの２つのヒンジ・ピン１４、１５の一方を支持する。これらの２つのヒンジ・ピンは、１つまたは複数のリンク１６、１７により接続され、ヒンジ・ピン１４、１５の偏心を確実にする。
【００７４】
ヒンジが２つの最端位置（開または閉）の一方に到達したときに、当接部１８によりヒンジの相対移動が制限される。このような２つの位置では、前記ヒンジの要素は、見えたまま、コンテナ、またはボートの面から突出しない。
【００７５】
固定されたフレーム要素は、好ましくは、他の外部動作なしでコンテナの開閉を可能にするために、回転アクチュエータ、ギアモータ等の、ヒンジ・ピン１４、１５と同軸のアクチュエータを備える。これは、同様に、アクチュエータを遠隔で設置できるようにするための、チェーンまたはベルト等の駆動装置の問題であり得る。
【００７６】
ここで、コンテナは、この浮体構造物が自走式になるように、推進システム（図示せず）を備える。この推進システムは、好ましくはポンプ・ジェット等の少なくとも１つのジェット推進ユニットを備える。このジェット推進ユニットは、ノズルにより放出される水流を方向付けして、浮体構造物を種々の方向に確実に推進および操舵できるようにする。あるいは、この推進システムをプロペラまたは外輪タイプとすることができる。
【００７７】
この推進システムは、好ましくはコンテナの中央箱１および／または端箱２、３に配置される。有利には、この推進システムの付属物が、回転、並進運動、または取外しによる折り畳み式であり、ＩＳＯコンテナ積荷ゲージとの一致を可能にするだけでなく、緊急時に浮体構造物を確実に折りたたむことができるようにする。
【００７８】
ここで、浮体構造物は、いずれかの長手方向（両頭）と、浮体構造物の長手方向軸に対する横方向との両方向に移動するようになされている。
【００７９】
図６および図８は、第２の実施形態によるコンテナの斜視図であり、このコンテナは展開構成にありボートを形成している。図１〜図５の要素と同一の参照符号が付された図６および図８の要素は、同一の対象を表すため、以下では再度説明しない。
【００８０】
このボートは、ここでは展開されて示される、浮力および安定性を高めるための膨張式プディング・フェンダ１９を備える。このような膨張式プディング・フェンダ１９は、ゴム等の水密かつ頑丈なプラスチック材料から作製される。
【００８１】
あるいは、このような半円錐形であり得る膨張式要素１９は、有利には、機械的強度を高めるために一体に製造される。そのため、各膨張式要素１９は、単一材料から製造される織物構造であり、ポリ塩化ビニル（ＰＶＣ）またはポリウレタン、またはさらに最適には可塑化防炎加工ＰＶＣに基づく材料等の水密材料で被覆される。
【００８２】
この一体型織物構造は、本出願人が開発した製織プロセスにより製造することができる。さらなる技術的詳細については、国際特許出願第ＷＯ２００９／０９５４０４号および国際特許出願第ＷＯ２００９／０９５４１５号を参照すると有用である。
【００８３】
簡単に言うと、この織物構造は、少なくとも１本の付着しない綴じ糸により互いに接続された少なくとも２つの織壁を備える。前記少なくとも１本の綴じ糸の２つの連続したシンカ間の長さの変動（前記シンカのそれぞれが異なる壁の横方向糸による立上がり部に対応する）が、長手方向糸および／または横方向糸方向に前記構造の少なくとも一部にわたって連続する。
【００８４】
このコンテナの端箱は、それぞれ、図８に見られる格納式車輪２０、２１を備える。
【００８５】
コンテナの非展開構成で、中央箱１と他の端箱３との間に配置された端箱２の一対の車輪２０は、有利には、このような車輪２０が非格納式の場合でも緊急時にコンテナを折りたたむことができるように位置決めされる。実際に、端箱２、３の切頭三角形状により、非格納式車輪２０が通過できる空間が生じるため、ＩＳＯコンテナ積荷ゲージに一致させることかできる。
【００８６】
ここで、このような車輪２０、２１は操舵可能であり、ブレーキ・システムを備える。
【００８７】
あるいは、コンテナは、電動ではない、格納式または非格納式の２つの車輪のみを備えることができる。トラクタまたは押し車を加えることにより、コンテナが単軸トレーラとして使用される。このタイプの構成を、特に船を進水させるため（もしくは水から除去するため）、または船を開放領域もしくは保管領域で再び操作するために特に使用することができる。
【００８８】
図７は、展開構成にある６個のコンテナを備える船舶の概略図であり、このようなコンテナが互いに接続されて一体型浮体構造物を形成する。したがって、他の浮体構造物の長さ方向および／または幅方向に加えるだけで、大型の浮体構造物が得られる。当然、このような一体型浮体構造物を構成するために、ロック要素（図示せず）により、このような浮体構造物のすべてを互いに締結することができる。
【００８９】
このようなロック要素は、例えば、対向するコンテナを保持し、取り扱い、固定するための取付具と協働するように設計されるロックである。あるいは、このようなロック要素は、ボルト締結具、ピンまたは軸等の留め具を備えることができる。ストラップ、ゴム製カラー、ブレース等の可撓性接続具を使用することも想定可能である。
【００９０】
図９および図１０は、本発明の第３の実施形態によるコンテナの斜視図である。図１〜図５の要素と同一の参照符号が付された図９および図１０の要素は、同一の対象を表すため、以下では再度説明しない。
【００９１】
図９および図１０のコンテナは、端箱２、３が中央箱１の幅または横方向の寸法の半分よりも大きい幅または横方向の寸法を有する点で、図１〜図５のコンテナと異なる。コンテナの展開構成では、浮体構造物が中央箱１の幅方向に増加したデッキ面積を有する。
【００９２】
コンテナの端箱２、３は、中央箱１の側方に展開され、２軸ヒンジ４〜７が中央箱１の側縁部に配置される。これらの２軸ヒンジ４〜７は、この目的で、中央箱１の側縁部２２、２３に設けられたハウジング１１に受けられる。
【００９３】
コンテナの展開構成における平面デッキを浮体構造物に設けるために、中央箱１の側縁部２２の１つがこの中央箱１の内側に傾斜し、この側縁部２２に接して配置されるようになされた端箱３の壁２４が、中央箱１のこの傾斜した側縁部２２に相補的な傾斜形状を有して、このような２つの傾斜壁２２、２４間に形成された角度が、中央箱１に対する端箱３の回転角度の値、ここでは約１６７°と等しくなるようにする。
【００９４】
図１１および図１２は、本発明の第４の実施形態によるコンテナの斜視図である。図１〜図５の要素と同一の参照符号が付された図１１および図１２の要素は、同一の対象を示すため、以下では再度説明しない。
【００９５】
図１１および図１２のコンテナは、端箱２、３の一方が、この箱の容積に組み入れられる斜面２５、２６を有する点で、図１〜図５のコンテナと異なる。ここでは、このような斜面２５、２６が、コンテナの非展開構成で、対応する端箱３のハウジング２７に受けられて、このような斜面２５、２６の外面が、この端箱３の自由壁２８の面と面一になり、コンテナの積荷ゲージに一致するようにする。
【００９６】
これらの斜面２５、２６は、軸２９の周りを回転するように取り付けられ、コンテナの展開構成まで回転することにより展開されて、浮体構造物のデッキの大きさを増加させることができる。
【００９７】
図１３〜図１６は、本発明の第５の実施形態による転換式コンテナを示す。
【００９８】
各延長ユニット３０、３１は、中央箱３２と等しい寸法を有する単一の端箱から構成され、このような箱３０〜３２は、コンテナの非展開構成において互いに重ねられて、箱の積層体を形成する。
【００９９】
このような箱３０〜３２はさらに、互いに関節式に結合されて、２つの連続した箱がこのような箱の同一の側縁部に取り付けられた少なくとも２つの接続アーム３３〜３８により互いに接続され、このような接続アーム３４、３７の１つが３つの箱３０〜３２に共通である。
【０１００】
２つの連続した接続アームが２つの連続した箱とともに形成され、変形可能な平行四辺形を接続し、このような箱の１つが、前記コンテナの前記非展開構成から積層体中のすぐ下の箱に対して移動すると、その箱が積層体中のすぐ下の箱に対して円形並進運動する。
【０１０１】
３つの箱３０〜３２を接続する接続アーム３４、３７は、有利には、非展開構成と展開構成の間で、およびその逆で、コンテナのすべての箱を同時かつ均一に確実に移動させる。
【０１０２】
これらの接続アーム３３〜３８は、有利には、箱３０〜３２の自由壁により画定された直方体４０から突出して配置されるコンテナの構造的要素がないようにするために、この目的で設けられた側部ハウジング３９に受けられて、このコンテナが、保管または輸送のために積み重ねられ、かつ／または他のコンテナに接して配置され得るようにする。このような側部ハウジング３９は、ここでは箱３０〜３２の側縁部の凹部に対応する。
【０１０３】
接続アーム３３〜３８は、回転時に可動となるように箱３０〜３２に取り付けられて、このような箱のそれぞれの相対移動を可能にする。これらの接続アーム３３〜３８は、例えばリンクを備える。
【０１０４】
コンテナの展開構成において箱が端部同士を合わせて配置されるときに、別の箱の面に接触することが意図された、箱３０〜３２の１つまたは複数の面４１〜４３は、コンテナの展開構成において協働することが意図された面と相補形状を有する。その結果、このように結合された２つの連続した箱の面が、定位置にロックされる。
【符号の説明】
【０１０５】
１  中央箱、中央ケース
２、３  延長ユニット、端箱
４〜７  ２軸ヒンジ
８  取付具
９  端壁
１０  傾斜面
１１  ハウジング
１２、１３  固定部
１４、１５  ヒンジ・ピン
１６、１７  リンク
１８  当接部
１９  膨張式プディング・フェンダ
２０、２１  車輪
２２、２３  側縁部
２４  壁
２５、２６  斜面
２７  ハウジング
２８  自由壁
２９  軸
３０、３１  延長ユニット
３０〜３２  中央箱
３３〜３８  接続アーム
３９  側部ハウジング
４０  直方体
４１〜４３  面
【図１】
2014509979.tif 000003
【図２】
2014509979.tif 000004
【図３】
2014509979.tif 000005
【図４】
2014509979.tif 000006
【図５】
2014509979.tif 000007
【図６】
2014509979.tif 000008
【図７】
2014509979.tif 000009
【図８】
2014509979.tif 000010
【図９】
2014509979.tif 000011
【図１０】
2014509979.tif 000012
【図１１】
2014509979.tif 000013
【図１２】
2014509979.tif 000014
【図１３】
2014509979.tif 000015
【図１４】
2014509979.tif 000016
【図１５】
2014509979.tif 000017
【図１６】
2014509979.tif 000018
【国際調査報告】
2014509979.tif 000019
2014509979.tif 000020
2014509979.tif 000021
2014509979.tif 000022
2014509979.tif 000023
2014509979.tif 000024